(57)【要約】【課題】  本発明は、いわゆる「ワンキリ」による被害を防止するための電話機を提供することを目的とする。【解決手段】  着信があると、発信元の電話番号を取得し、記録する携帯電話機であって、前記着信時に、当該発信元からの呼出が継続される時間相当量を計測し、計測された時間相当量が、閾値を超えない場合に、当該発信元の電話番号の前記電話機への記録の抑止をする機能を備える携帯電話機である。【選択図】 図３
2005204345.tif 000002
【特許請求の範囲】
【請求項１】
着信があると、発信元の電話番号を取得し、記録する電話機であって、
前記着信時に、当該発信元からの呼出が継続される時間相当量を計測する計測手段と、
計測された時間相当量が、閾値を超えない場合に、当該発信元の電話番号の前記電話機への記録の抑止をする記録抑止手段と
を備えることを特徴とする電話機。
【請求項２】
記電話機はさらに、特定の電話番号を示す情報を記憶している記憶手段を備え、
前記記録抑止手段は、取得された電話番号が前記記憶手段に記憶されている情報が示す電話番号であるか否かの判定をする番号判定手段を有し、
前記記録抑止手段は、取得された電話番号が前記情報を示す電話番号でないと判定された場合に限り、前記抑止をする
ことを特徴とする請求項1記載の電話機。
【請求項３】
前記記憶手段に記憶されている前記情報は、携帯電話番号又はＰＨＳを特定する情報であり、
前記番号判定手段は、取得された電話番号が携帯電話番号又はＰＨＳを特定する情報を含んでいるか否かにより前記判定をする
ことを特徴とする請求項２記載の電話機。
【請求項４】
前記記憶手段に記憶されている情報は、利用者によって予め登録された特定の相手先の電話番号であり、
前記番号判定手段は、取得された電話番号が前記特定の相手先の電話番号であるか否かにより前記判定をする
ことを特徴とする請求項２記載の電話機。
【請求項５】
前記電話機は、携帯型電話機である
ことを特徴とする請求項１〜４の何れか１項に記載の電話機。
【発明の詳細な説明】
【技術分野】
【０００１】
本発明は、電話機に関し、特に着信した電話番号を記録する機能を有する電話機に関する。
【背景技術】
【０００２】
近年、発信元番号通知サービスを受けることができる一般回線電話機、携帯電話機、ＰＨＳなどの電話機（以下、「電話機」という。）の普及が広まっている。上記電話機においては、さらに発信元の電話番号や着信日時等の着信履歴を記録することが可能となっており、利用者は、偶々電話に出られない時や席を外している時に電話があっても、電話機に記録された着信履歴を利用することにより、後で電話をした相手に電話をかけることができる。
【０００３】
一方、最近、着信履歴を残すという電話機の機能を悪用した「ワンキリ」という悪質な迷惑電話による利用者の被害報告が続出している。
ここで、「ワンキリ」とは、悪徳業者がコンピュータを利用して、自動的に不特定多数の  電話番号を生成し、生成した電話番号宛に、コンピュータに接続された一般回線電話機から次々に電話し、利用者の電話機に着信するとすぐに回線を切断することにより、利用者の電話機に着信履歴を残すことをいう。
【０００４】
利用者がこの「ワンキリ」により着信履歴に残された電話番号に電話をかけると、「出会い系サイト」や「アダルト番組」等の有料サービスを利用するための案内テープを聞かされることになる。
そして、利用者がうっかりこの有料サービスを利用してしまうと、悪徳業者から高額のサービス利用料を請求されるという被害を受けることになる。
【０００５】
このため、このような悪徳業者による「ワンキリ」行為を防止することに対する利用者ニーズが高まってきている。
【発明の開示】
【発明が解決しようとする課題】
【０００６】
しかしながら、従来の電話機においては、利用者は、着信履歴に残された電話番号からだけでは、電話が誰からかかってきたかを判断することができず、「ワンキリ」による被害を回避することが難しいという問題が生ずる。
そこで、本発明は、上記問題点に鑑み、いわゆる「ワンキリ」による被害を防止するための電話機を提供することを目的とする。
【課題を解決するための手段】
【０００７】
上記課題を解決するため、本発明は、着信があると、発信元の電話番号を取得し、記録する電話機であって、前記着信時に、当該発信元からの呼出が継続される時間相当量を計測する計測手段と、計測された時間相当量が、閾値を超えない場合に、当該発信元の電話番号の前記電話機への記録の抑止をする記録抑止手段とを備える。
これにより、「ワンキリ」による電話番号である可能性の高い電話番号は、着信履歴に記録されないので、利用者は、安心して着信履歴が示す電話番号宛に電話をすることができる。又、無用の電話番号のデータによりメモリが占有されることが少なくなるので、限られた容量のメモリを有効に活用することができる。
【発明の効果】
【０００８】
本発明は、着信があると、発信元の電話番号を取得し、記録する電話機であって、前記着信時に、当該発信元からの呼出が継続される時間相当量を計測する計測手段と、計測された時間相当量が、閾値を超えない場合に、当該発信元の電話番号の前記電話機への記録の抑止をする記録抑止手段とを備える。
これにより、「ワンキリ」による電話番号である可能性の高い電話番号は、着信履歴に記録されないので、利用者は、安心して着信履歴が示す電話番号宛に電話をすることができる。又、無用の電話番号のデータによりメモリが占有されることがなくなるので、限られた容量のメモリを有効に活用することができる。
【０００９】
又、前記電話機はさらに、特定の電話番号を示す情報を記憶している記憶手段を備え、前記記録抑止手段は、取得された電話番号が前記記憶手段に記憶されている情報が示す電話番号であるか否かの判定をする番号判定手段を有し、前記記録抑止手段は、取得された電話番号が前記情報を示す電話番号でないと判定された場合に限り、前記抑止をすることとしてもよい。
【００１０】
又、前記記憶手段に記憶されている前記情報は、携帯電話番号又はＰＨＳを特定する情報であり、前記番号判定手段は、取得された電話番号が携帯電話番号又はＰＨＳを特定する情報を含んでいるか否かにより前記判定をすることとしてもよい。
これにより、「ワンキリ」による電話番号である可能性がない電話番号を予め特定して、当該電話番号が着信履歴の記録対象から除かれるのを防止することができる。
【００１１】
又、前記記憶手段に記憶されている情報は、利用者によって予め登録された特定の相手先の電話番号であり、前記番号判定手段は、取得された電話番号が前記特定の相手先の電話番号であるか否かにより前記判定をすることとしてもよい。
これにより、利用者にとって重要な相手先からの電話が何らかの事情で、すぐに切断された場合にも、当該電話が着信履歴の記録の対象から外されることを防ぐことができる。
【発明を実施するための最良の形態】
【００１２】
本発明の実施の形態に係る電話機は、着信があると、発信元の電話番号を取得し、記録する携帯電話機であって、前記着信時に、当該発信元からの呼出が継続される時間相当量を計測し、計測された時間相当量が、閾値を超えない場合に、当該発信元の電話番号の前記電話機への記録の抑止をする機能を備える携帯電話機である。
ここで、「時間相当量」とは、発信元からの呼出時間又回数のことをいう。
【００１３】
図１は、本実施の形態における携帯電話機１の構成を示す。携帯電話機１は、アンテナ２、送受信部３、メモリ４、制御部５、表示部６、操作部７、スピーカー８、マイク９、計測部１０から構成される。
送受信部３は、通信用電波として通信するための通信データの送受信を行う。ここで、「通信データ」とは、電話番号、通話のための音声データ、電子メール、文字情報、画像データ、着信信号などの通信制御のために用いられる制御データのことをいう。制御部４から出力される通信データを通信用電波に変調し、アンテナ２を介して送信し、又、アンテナを介して受信した通信用電波を復調し、制御部５に出力する。
メモリ４は、閾値、電話種別識別番号、制御部５から出力される発信元電話番号、電話帳データ等を記録する。
【００１４】
ここで、「閾値」とは、携帯電話機１の製造者によって予め設定された、着信が「ワンキリ」である場合に想定される、着信から接続のための呼出が中止されるまでの時間相当量を示す値のことをいい、発信元からの着信が「ワンキリ」であるか否かの判定基準となる値のことをいう。具体的には、計測部１０によって計測される時間相当量が「閾値」を超えない場合に、当該発信元からの着信が「ワンキリ」と判定され、超える場合に、「ワンキリ」でないと判定される。
【００１５】
「電話種別識別番号」とは、着信した発信元の電話番号の上位３桁の電話種別を識別する番号と比較するための識別番号で、具体的には、携帯電話機とＰＨＳからの着信であることを示す識別番号（例えば、携帯電話機の場合は090、ＰＨＳの場合は070）のことをいう。
「電話帳データ」とは、携帯電話機１の利用者によって、操作部７から登録される、登録番号、相手先名、当該相手先の電話番号等を含むデータのことをいう。図２に「電話帳データ」の一例を示す。
制御部５は、例えば、マイクロプロセッサとＲＯＭ（Read Only Memory）及びＲＡＭ(Random Access Memory)、タイマーなどから構成され、ＲＯＭに格納されている制御プログラムを実行することにより、携帯電話機１の全体の制御を行う。以下、制御部５の本発明に関連する主な機能について説明する。
１）電話番号記録抑止処理
制御部５は、計測部１０を有し、送受信部３を介して基地局から呼出信号の着信があると、計測部１０に時間相当量の計測を指示し、計測部１０が計測した時間相当量とメモリ４に記録されている閾値とを比較し、計測した時間相当量が閾値を超えない場合には、発信元の電話番号のメモリへの記録を抑止し、超える場合には、当該電話番号をメモリへ記録する。
２）電話番号判定処理
制御部５は、送受信部３を介して基地局から発信元の電話番号を取得すると、メモリ４から電話帳データを読み出し、電話帳データに登録されている各電話番号と発信元の電話番号を比較し、一致する電話番号が電話帳データに登録されている場合には、当該発信元の電話番号をメモリへ記録し、登録されていない場合には、当該発信元の電話番号について、上記１）の処理を行う。
３）電話種別判定処理
制御部５は、送受信部３を介して基地局から発信元の電話番号を取得すると、メモリ４から各電話種別識別番号を読み出し、読み出した各識別番号と発信元の電話番号の上位３桁の番号とを比較し、一致している場合には、発信元の電話番号をメモリへ記録し、一致していない場合には、当該発信元の電話番号について、上記１）の処理を行う。
【００１６】
表示部６は、制御部５から出力された電子メール、文字情報、画像データ等の通信データを表示する。
操作部７は、利用者から電話帳データの入力を受付け、当該電話帳データを制御部５に出力する。又、利用者が操作部７に含まれる通話キー（図外）を操作することにより発生する通話信号を受け取り、制御部５に出力する。
【００１７】
スピーカー８は、制御部５から出力された音声データをＤ／Ａ変換し、音声を出力する。
マイク９は、利用者から入力された音声を音声データにＡ／Ｄ変換し、制御部５に出力する。
計測部１０は、時間相当量を計測し、制御部５に出力する。
【００１８】
次に、制御部５の行う上記１）〜３）の処理の詳細について説明する。図３は、上記１）〜３）の処理の詳細を示すフローチャートである。
制御部５は、送受信部３を介して基地局から呼出信号の着信があると（ステップＳ１００１）、計測部１０に時間相当量の計測開始を指示し（ステップＳ１００２）、さらに送受信部３を介して基地局から通知される発信元の電話番号を取得し（ステップＳ１００３）、メモリ４に記録されている各電話種別識別番号を読み出し、読み出した各識別番号と発信元の電話番号の上位３桁の番号とを比較し（ステップＳ１００４）、当該番号と読み出した電話種別識別番号の何れかとが一致するか否かを判定する（ステップＳ１００５）。
【００１９】
一致しない場合（ステップＳ１００５：Ｎ）、制御部５はさらに、メモリ４から電話帳データを読み出し、電話帳データに登録されている各電話番号と発信元の電話番号を比較し（ステップＳ１００６）、一致する電話番号が電話帳データに登録されているか否かを判定する（ステップＳ１００７）。
登録されていない場合（ステップＳ１００７：Ｎ）、基地局からの着信信号による呼出が中止されたか否かを判定する（ステップＳ１００８）。
【００２０】
中止されていない場合（ステップＳ１００８：Ｎ）、計測部１０が計測した時間相当量とメモリ４に記録されている閾値とを比較し、計測した時間相当量が閾値を超えているか否かを判定する（ステップＳ１００９）。
超えている場合（ステップＳ１００９：Ｙ）、制御部５は、着信したことを知らせるためのリンガーを作動させる（ステップＳ１０１０）ことにより、リンガーを鳴らし、操作部７から入力される通話信号が検知されるか否かにより、利用者が電話に応答したか否かを判定する（ステップＳ１０１１）。
【００２１】
応答しない場合（ステップＳ１０１１：Ｎ）、さらに基地局からの着信信号による呼出が中止されたか否かを判定する（ステップＳ１０１２）。
中止された場合（ステップＳ１０１２：Ｙ）、時間相当量の計測を終了し（ステップＳ１０１３）、発信元から取得した電話番号をメモリ４に記録する（ステップＳ１０１４）。
【００２２】
ステップＳ１００５において、一致する場合（ステップＳ１００５：Ｙ）、制御部５は、ステップＳ１０１０〜ステップＳ１０１４の処理を行う。
ステップＳ１００７において、登録されている場合（ステップＳ１００７：Ｙ）、制御部５は、ステップＳ１０１０〜ステップＳ１０１４の処理を行う。
ステップＳ１００８において、中止された場合（ステップＳ１００８：Ｙ）、時間相当量の計測を終了する（ステップＳ１０１５）。
【００２３】
ステップＳ１００９において、超えていない場合（ステップＳ１００９：Ｎ）、制御部５は、ステップＳ１００８の処理に戻る。
ステップＳ１０１１において、応答した場合（ステップＳ１０１１：Ｙ）、制御部５は、処理を終了する。
ステップＳ１０１２において、中止されていない場合（ステップＳ１０１２：Ｎ）、制御部５は、ステップＳ１０１１の処理に戻る。
以上、本発明の実施の形態について説明したが、本発明はこの実施の形態に限定されないのは言うまでもない。
【００２４】
例えば、本発明の実施の形態における電話機は、携帯電話機としたが、携帯電話機に限る必要はなく、ＰＨＳ、一般回線電話機等の他の電話機であってもよい。
又、本実施の形態においては、電話番号判定処理は、電話帳データに登録されている電話番号と比較することにより行うこととしたが、電話帳データだけでなく、着信履歴として、メモリ４に記録された取得電話番号とも比較することにより電話番号判定処理を行うこととしてもよい。
【図面の簡単な説明】
【００２５】
【図１】本実施形態における携帯電話機１の構成を示す。
【図２】電話帳データの一例を示す。
【図３】制御部５の行う、電話番号記録抑止処理、電話番号判定処理、電話種別判定処理を示すフローチャートである。
【符号の説明】
【００２６】
１    携帯電話機
２    アンテナ
３    送受信部
４    メモリ
５    制御部
６    表示部
７    操作部
８    スピーカー
９    マイク
１０    計測部
【図１】
2005204345.tif 000003
【図２】
2005204345.tif 000004
【図３】
2005204345.tif 000005